(57)【要約】【課題】落下等で円盤状電池が外れ難いカード型電子機器を提供することを目的とする。【解決手段】円盤状電池３１が電池ホルダー４２に収納されて開口部４０に装着された際に、前記円盤状電池３１は電源端子４３と接続されるとともに、前記電源端子４３と上ケース３６の内面３６ａとの間に挟まれて保持されるものである。これにより、円盤状電池３１は弾性を有した電源端子４３と上ケース３６との間に確りと挟まれて保持されることとなるので、たとえ係合止め部４９が壊れても円盤状電池３１が外れてしまうことは発生し難くなる。【選択図】　　　図１
2004134198.tif 000002
【特許請求の範囲】
【請求項１】
小さい円盤状電池を駆動電源として動作するカード型電子機器であって、
上ケースと、この上ケースと略同じ大きさの下ケースからなり、前記上ケースと下ケースとを固着することによって形成されたハウジングと、
このハウジングの短辺側の一方の端面に設けられた開口部に着脱自在に設けられるとともに前記開口部を塞ぐ電池ホルダーと、
この電池ホルダーを前記ハウジングに固定する係合止め部と、
前記ハウジング内に設けられるとともに前記円盤状電池を駆動電源として動作する回路部を有する回路基板と、
前記回路基板の一端に設けられ前記回路部と接続された電源端子と
を備え、前記円盤状電池が前記電池ホルダーに収納されて前記開口部に装着された状態では前記円盤状電池は前記電源端子と接続されるとともに、前記電源端子と前記上ケースの内面との間に挟まれて保持されることを特徴とする
カード型電子機器。
【請求項２】
前記電池ホルダーとハウジングの前記開口部とが当接する部分にゴムパッキンが施されたことを特徴とする請求項１記載のカード型電子機器。
【請求項３】
前記ゴムパッキンは、２色成型により電池ホルダーと一体に形成されたことを特徴とする請求項２記載のカード型電子機器。
【請求項４】
前記電池ホルダーとハウジングとの係合止め部が、前記ハウジングの長辺側の両側面に有することを特徴とする請求項１記載のカード型電子機器。
【請求項５】
前記電池ホルダーのハウジングへの誤挿入を防止する誤挿入防止手段を有する請求項１記載のカード型電子機器。
【請求項６】
前記誤挿入防止手段として、電池ホルダー側に長さの異なるガイド部を設けるとともに、ハウジング側に前記ガイド部と対応する誤挿入防止片を設け、前記電池ホルダーが誤挿入された際に、前記ガイド部のいずれかが前記誤挿入防止片のいずれかと当接することにより前記電池ホルダーがそれ以上ハウジングに挿入できなくなることを特徴とする
請求項５記載のカード型電子機器。
【請求項７】
円盤状電池を交換する際に電池ホルダーがハウジングから離脱しないことを特徴とする請求項１記載のカード型電子機器。
【請求項８】
前記ハウジングの内面側には、開口部の端部近傍に形成されたストッパ部が形成され、電池ホルダーには、前記ストッパ部に係止される係止部を有した
請求項７記載のカード型電子機器。
【請求項９】
円盤状電池が電池ホルダーに収納されて開口部に装着された際に、電源端子が前記電池ホルダーと前記円盤状電池の間に隙間を生じさせることを特徴とした請求項１記載のカード型電子機器。
【請求項１０】
電源端子と円盤状電池との当接点は、円盤状電池の中心より前記回路基板の側に設けた請求項９記載のカード型電子機器。
【発明の詳細な説明】
【０００１】
【発明の属する技術分野】
本発明は、カード型電子機器に関するものである。
【０００２】
【従来の技術】
近年、家や自動車等の解錠装置において電子キーが登場してきた。しかしながら、その携帯側機器は厚く、携帯性が悪い。そこで携帯性を改善するため、厚みを薄くしたカード型電子機器への要求が出てきている。
【０００３】
図７と図８は携帯機器の厚みを薄くし、カード状にした従来のカード型電子機器を示す。
１は、大きさが長さ４５ｍｍで幅が５０ｍｍの回路基板である。この回路基板１の上面１ａには電子部品２が装着されている。そしてこの回路基板１は、略カードサイズの下ケース３の片側に寄せて載置されている。
【０００４】
４は、回路基板１の上方を覆うように設けられた上ケースである。この上ケース４は、下ケース３と嵌合されて、その接合部１８は超音波溶着などで固着される。なお、上ケース４は下ケースよりも３０ｍｍ短くしてある。
【０００５】
６は小さい円盤状電池で、具体的にはボタン形電池またはボタン形電池よりも薄い形状のコイン型電池である。
５は、円盤状電池６が載置される電池ホルダーであり、円盤状電池６のプラス電極７の外周が嵌合される第１の溝８と、円盤状電池６のマイナス電極９と嵌合される第２の溝１０が形成されている。そして、この電池ホルダー５は、上ケース４が設けられていない側に固定されている。
【０００６】
そしてこの状態で電池ホルダー５に円盤状電池６を載せ、円盤状電池６の上部に蓋１１をかぶせる。このとき、この蓋１１の一方の端部に設けられた第１の係止爪１２が、上ケース４に設けられた第１の係止部１３に係止されると同時に、蓋の他方の端部に形成された第２の係止爪１４が、第２の係止部１５に係止されて保持されている。
【０００７】
そして、円盤状電池６のマイナス電極９の平面部９ａの下部には、弾性を有するとともに回路基板１と接続された電源端子１６が設けられている。また、円盤状電池６の側面部６ａに接するとともに、回路基板１と接続された電源端子１７を有する。これらの電源端子１６，１７がそれぞれマイナス電極９、プラス電極７と接触することによって回路基板１の上の回路部を駆動している。
【０００８】
この構成において電源端子１６は、円盤状電池６を下方から押し上げることとなるので、円盤状電池６は電源端子１６と蓋１１との間に挟み込まれた状態で保持される。
【０００９】
この従来のカード型電子機器は、総厚さが４ｍｍと薄いので、上ケース４、下ケース３及び蓋１１は、全て厚さが１ｍｍと非常に薄くなっている。そのために、落下等に対する電子機器の強度を維持するために、これら上ケース４、下ケース３及び蓋１１の材質としては、高衝撃ＡＢＳ樹脂を用いていた。
【００１０】
なお、この出願に関連する先行技術文献情報としては、例えば特許文献１が知られている。
【００１１】
【特許文献１】
実開平７−３３０８７号公報
【００１２】
【発明が解決しようとする課題】
しかしながらこのような従来のカード型電子機器においては、上ケース４、下ケース３及び蓋１１の厚みが薄く、樹脂成形時にそれらの部品は変形が生じる。特に肉厚が厚い係止爪１２の近傍での変形は大きくなる。そしてこの蓋１１や係止爪１２の変形によって係止爪１２と係止部１３との係合が浅くなり、落下時等に蓋１１が外れ、円盤状電池６が外れてしまうという課題がある。
【００１３】
そこで本発明は、この問題を解決したもので、落下等に対して円盤状電池６が外れにくいカード型電子機器を提供することを目的としたものである。
【００１４】
【課題を解決するための手段】
この目的を達成するために本発明のカード型電子機器は、上ケースとこの上ケースと略同じ大きさの下ケースとを固着して形成されたハウジングの短辺側の一方の端面に設けられた開口部に着脱自在に設けられる電池ホルダーと、前記ハウジング内に設けられるとともに前記円盤状電池を駆動電源として動作する回路部を有する回路基板と、前記回路基板の一端に設けられ前記回路部と接続された電源端子とを備え、円盤状電池が電池ホルダーに収納されてハウジングに装着された状態では、円盤状電池は電源端子と接続されるとともに、電源端子と上ケースの内面との間に挟まれて保持されることを特徴とする。
【００１５】
これにより、ハウジングの短辺側の一方の端面側に開口部が形成され、かつ上ケースとこの上ケースと略同じ大きさの下ケースとが固着されているので、開口部近傍の強度を強くできる。従って、円盤状電池は弾性を有した電源端子と強度が強くなった上ケースの内面との間に、しっかりと挟まれて保持されることとなるので、円盤状電池が外れてしまうことは発生し難くなる。
【００１６】
【発明の実施の形態】
本発明の請求項１に記載のカード型電子機器は、小さい円盤状電池を駆動電源として動作するカード型電子機器であって、上ケースと、この上ケースと略同じ大きさの下ケースからなり、前記上ケースと下ケースとを固着することによって形成されたハウジングと、このハウジングの短辺側の一方の端面に設けられた開口部に着脱自在に設けられるとともに前記開口部を塞ぐ電池ホルダーと、この電池ホルダーを前記ハウジングに固定する係合止め部と、前記ハウジング内に設けられるとともに前記円盤状電池を駆動電源として動作する回路部を有する回路基板と、前記回路基板の一端に設けられ前記回路部と接続された電源端子とを備え、前記円盤状電池が前記電池ホルダーに収納されて前記開口部に装着された状態では前記円盤状電池は前記電源端子と接続されるとともに、前記電源端子と前記上ケースの内面との間に挟まれて保持されることを特徴とする。これによりハウジングの短辺側の一方の端面側に開口部が形成され、かつ上ケースとこの上ケースと略同じ大きさの下ケースとが固着されているので、開口部近傍の強度を強くできる。従って、円盤状電池は弾性を有した電源端子と強度が強くなった上ケースの内面との間に確りと挟まれて保持されることとなるので、たとえ係合止め部が壊れていたりしても円盤状電池が外れてしまうことは発生し難くなる。
【００１７】
また、上ケースと下ケースとの間には、円盤状電池とその片側の電極にのみ電源端子を有しているので、薄型のカード型電子機器を実現できる。
更に、電池ホルダーによってハウジングの開口部を覆っているので、別途蓋等を設ける必要がなく、部品数も少なくなり、組み立てが容易になるとともに、低価格なカード型電子機器を実現できる。
【００１８】
本発明の請求項２に記載のカード型電子機器は、請求項１において、前記電池ホルダーとハウジングの前記開口部とが当接する部分にゴムパッキンが施されたことを特徴とする。これにより防水できる。
【００１９】
本発明の請求項３に記載のカード型電子機器は、請求項２において、前記ゴムパッキンは、２色成型により電池ホルダーと一体に形成されたことを特徴とする。これにより電池ホルダーとゴムパッキンとを一体とすることができるので、組み立てが容易になる。
【００２０】
本発明の請求項４に記載のカード型電子機器は、請求項１において、前記電池ホルダーとハウジングとの係合止め部が、前記ハウジングの長辺側の両側面に有することを特徴とする。これにより、しっかりと電池ホルダーを装着できる。
【００２１】
本発明の請求項５に記載のカード型電子機器は、請求項１において、前記電池ホルダーのハウジングへの誤挿入を防止する誤挿入防止手段を有することを特徴とする。これにより誤挿入を防止できる。
【００２２】
本発明の請求項６に記載のカード型電子機器は、前記誤挿入防止手段として、電池ホルダー側に長さの異なるガイド部を設けるとともに、ハウジング側に前記ガイド部と対応する誤挿入防止片を設け、前記電池ホルダーが誤挿入された際に、前記ガイド部のいずれかが前記誤挿入防止片のいずれかと当接することにより前記電池ホルダーがそれ以上ハウジングに挿入できなくなることを特徴とする。これによりガイド部やストッパ部はそれぞれ電池ホルダーやハウジングに一体に形成することができるので、低価格かつ確実に誤挿入を防止できる。
【００２３】
本発明の請求項７に記載のカード型電子機器は、請求項１において、円盤状電池を交換する際に電池ホルダーがハウジングから離脱しないことを特徴とする。これにより電池ホルダーはハウジングから離脱しないので、円盤状電池交換時等に電池ホルダーを紛失してしまうことは発生しない。
【００２４】
本発明の請求項８に記載のカード型電子機器は、請求項７において、前記ハウジングの内面側には、開口部の端部近傍に形成されたストッパ部が形成され、電池ホルダーには、前記ストッパ部に係止される係止部を有したことを特徴とする。これにより円盤状電池交換時等に電池ホルダーを紛失してしまうことは発生しない。
【００２５】
本発明の請求項９に記載の発明は、円盤状電池が電池ホルダーに収納されて開口部に装着された際に、電源端子が前記電池ホルダーと前記円盤状電池の間に隙間を生じさせることを特徴とする。これにより円盤状電池は電池ホルダーから浮いて保持されることとなるので、電源端子と円盤状電池との接触は安定する。
【００２６】
本発明の請求項１０に記載のカード型電子機器は、請求項９において、電源端子と円盤状電池との当接点は、円盤状電池の中心より前記回路基板の側に設けたことを特徴とする。これにより電源端子は円盤状電池の中心より基板側で当接するので、円盤状電池の基板に近い側は電池ホルダーから浮き、一方で円盤状電池の基板より離れた側は電池ホルダーに嵌合された状態となるので、電池ホルダーを引き抜いた場合に、確実に円盤状電池も引き抜くことができる。
【００２７】
また、円盤状電池自体の厚みが薄くても電池ホルダーを引き抜いた場合に、確実に円盤状電池も引き抜くことができるので、薄い円盤状電池を用いることができ、さらに薄型のカード型電子機器を実現できる。
【００２８】
（実施の形態１）
以下、本発明のカード型電子機器を（実施の形態１）に基づいて説明する。
図１〜図６は本発明のカード型電子機器を示す。
【００２９】
図１はカード型電子機器の断面図であり、図２はハウジング４１の分解図である。図３は電池ホルダー４２の上面図である。図４は下カバー３４の上面図であり、図５は小さな円盤状電池３１を挿入する場合の説明図であり、図６は円盤状電池３１を収納した場合の説明図である。
【００３０】
図１において、３０は回路基板である。この回路基板３０の上には小さな円盤状電池３１によって駆動される回路部が形成されている。なお、円盤状電池３１とは、具体的にはボタン形電池またはボタン形電池よりも薄い形状のコイン型電池である。
【００３１】
３２は前記回路部を形成する電子部品であり、回路基板３０の上面にクリーム半田３３でリフロー半田付けされている。
３４は回路基板３０の下側面と接して設けられた樹脂製の下ケースである。この下ケース３４には短手方向の一方向のみを残して壁３５が設けられている。
【００３２】
一方、回路基板３０の上方には、下ケース３４と略同じ大きさである樹脂製の上ケース３６が設けられている。上ケース３６には、下ケース３４の壁３５と対向するように壁３７が形成されている。そして、これらの壁３５と壁３７の接合部３８は、超音波溶接などによって溶着されて密封されている。
【００３３】
上ケース３６と下ケース３４とは従来の場合と同様に肉厚１ｍｍであり、その材質も同じＡＢＳ樹脂を用いているが、この構造によって上ケース３６と下ケース３４とがお互いに補強し合うこととなり、しっかりとした強度が高いハウジングを得ることができる。また、その歪みも互いに矯正されるので、歪みの小さいハウジングを得ることができる。
【００３４】
４０は下ケース３４と上ケース３６で形成されるハウジング４１の開口部である。この開口部４０はハウジング４１の短手方向に形成されることとなる。４２は電池ホルダーで、この開口部４１を塞ぐとともに、円盤状電池３１を保持する。そして、円盤状電池３１が電池ホルダー４２に搭載されて所定の位置まで挿入されると、回路基板３０の上の一端に設けられるとともに回路部と半田付け接続された電源端子４３と接続され、前記回路部が駆動される。
【００３５】
電源端子４３は、バネ弾性を有するりん青銅等の材料を「へ」の字型（山形）に成形し、その頂点４４を円盤状電池３１のマイナス電極４５に当接させている。なお、この電源端子４３は、マイナス電極４５の中心から約５ｍｍだけ前記回路基板３０の側に偏った位置に当接させている。また、電池ホルダー４２の挿入前において、この電源端子４３の頂点４４と上ケース３６の内面３６ａとの距離は、円盤状電池３１の厚さよりも小さくしておく。これにより、電源端子４３は、円盤状電池３１と確実に接触する。
【００３６】
図２および図３において、電池ホルダー４２は、円盤状電池保持部４６と、ゴムパッキン部４７と、蓋部４８と係合爪４９とから形成されている。そして円盤状電池保持部４６が、円盤状電池３１を保持した状態でハウジング４０の内部に収められる。
【００３７】
次に、ゴムパッキン部４７は、この電池ホルダー４２と２色成型によって一体に形成されている。このゴムパッキン部４７が、開口部４０に詰められて開口部を密封し、防水する。そして蓋部４８は、このゴムパッキン部４７と一体に成形されて、開口部４０を塞ぐように設けられている。
【００３８】
また、この蓋部４８にはハウジング４１の長手方向の両側面側に係合される係合爪４９が設けられる。この電池ホルダー４２をハウジング４１に係止する係合止め部としての係合爪４９は、ハウジング４１の側面に窪んで形成された係止部５０と係合し、電池ホルダー４２を係止して固定する構造としてある。
【００３９】
円盤状電池保持部４６には、円盤状電池３１のプラス電極５１が収められる円状の溝５２が形成され、この溝５２には溝５２と略中心が同じとなる孔５３が形成されている。この溝５２の深さは、円盤状電池３１のプラス側が上に挿入された場合には、ハウジングと円盤状電池３１の上面との間に０．０５ｍｍの隙間が生じる。また、円盤状電池３１を逆方向に搭載した場合には、マイナス電極がハウジングと当接するように設けてある。
【００４０】
従って、円盤状電池３１を正規の向きとは逆の向きに搭載した場合には、電池ホルダー４２をハウジング４１へ収納することができなくなるので、円盤状電池３１のプラス・マイナスの誤挿入を防止できる。
【００４１】
そして、この電池収納部４６の基板側には溝５２と孔５３の一部を切り欠く切り欠き部５４が設けられている。なお、電池ホルダー４２をハウジング４１へ挿入する場合、電源端子４３はこの切り欠き部５４より、孔５３の内側へ挿入されることとなる。また５５ａ，５５ｂ，５５ｃはガイド部であり、このガイド部５５に沿って電池ホルダー４２がハウジング４１へスライドする。そして、この一方のガイド部５５ａには誤挿入防止突起５６が設けられている。
【００４２】
以下、本実施の形態における円盤状電池３１の収納について図を用いて説明する。
図４は本実施の形態における下ケース３４の断面図であり、図５は電池ホルダー４２へ円盤状電池３１を収納する説明図である。
【００４３】
図４、図５において、下ケース３４の内面側の短手方向の略中心にはストッパ部６０が形成される。このストッパ部６０は、幅、長さ共に約２ｍｍの四角形の突起であり、電池ホルダー４２の裏面に形成された溝状のガイド部５５ｂに係合している。
【００４４】
なお、このストッパ部６０は開口部４０の端部からの距離６１は、約３ｍｍとしている。これによって電池ホルダー４２は、ストッパ部６０がガイド部５５ｂの終端の係止部８０に係止されると、それ以上にハウジング４１から引っ張り出すことが制限される。
【００４５】
従って、電池ホルダー４２はハウジング４１から離脱しないので、円盤状電池３１の交換時などに電池ホルダー４２を紛失してしまうことは発生しない。なお、電池ホルダー４２をハウジング４１から引き出しても、このストッパ部６０によって溝５２の一部がハウジング４１によって隠れた状態で保持されている。
【００４６】
また、下ケース３４には、その長手方向の壁３５から突出した誤挿入防止片６２が形成されている。この誤挿入防止片６２の前記開口部４０からの距離６３は、電池ホルダー４２が正規の方向に挿入された場合には電池収納部４６に当接せず、誤った方向で挿入された場合には、電池ホルダー４２の誤挿入防止突起５６が誤挿入防止片６２に当接するような距離としている。これにより、電池ホルダー４２が外されたような場合に、電池ホルダー４２の誤挿入を防止できる。
【００４７】
次に、電池ホルダー４２をハウジング４１から引き出した場合における、円盤状電池３１の電池収納部４６への搭載について説明する。
図５は円盤状電池３１の電池収納部４６への搭載の説明図である。
【００４８】
上記のように、電池ホルダー４２をハウジング４１から引き出しても、ストッパ部６０によって溝５２の一部がハウジング４１によって隠れた状態となるので、円盤状電池３１は電池収納部４６の真上から挿入することはできない。そこで、本実施の形態における円盤状電池３１の挿入は以下のようにして行う。
【００４９】
まず、円盤状電池３１の先端を電池収納部４６とハウジング４１の間に形成される隙間７０へ斜めに滑り込ませる。このとき電池収納部４６には、切り欠き部５４と孔５３が設けられているので、円盤状電池３１の先端は溝５２の底面よりさらに下部の高さまで挿入される。そして、今度は円盤状電池３１を電池収納部４６へ落とし込み、電池ホルダー４２へ円盤状電池３１を収納する。
【００５０】
次に、電池ホルダー４２がハウジング４１内に挿入された状態について図を用いて説明する。
図６は、電池ホルダー４２がハウジング４１内に挿入された状態の断面図である。電池ホルダー４２がハウジング４１に挿入されない状態において、電源端子４３の頂点４４と上ケース３６の内面３６ａとの距離は、円盤状電池３１の厚さよりも小さくしてある。従って、図６に示されるように、円盤状電池３１は弾性を有した電源端子４３と上ケース３６の内面３６ａとの間にしっかりと挟まれて保持されることとなるので、たとえ係合爪４９が壊れても円盤状電池３１が外れてしまうことは発生し難くなる。
【００５１】
なお、上ケース３６と下ケース３４とが超音波溶着によってしっかりと固定されるので、ハウジング４１の強度は強くなるとともに寸法精度を高くできる。従って、落下等に対してハウジング４１が変形し難くなるので、さらに円盤状電池３１は落下等で外れ難くなる。
【００５２】
また、電源端子４３と円盤状電池３１との接触点は、円盤状電池３１の中心より回路基板３０の側にあるので、円盤状電池３１の基板側は持ち上げられるが、蓋部４８の近い側は溝５２に収まったままで保持される。従って、電池ホルダー４２を引き抜く場合に、円盤状電池３１だけがハウジング４１内に残るようなことは発生しなくなる。
【００５３】
さらに、円盤状電池３１それ自体の厚みが薄くても、少なくとも片側は溝５２に収められて保持されているので、電池ホルダー４２を引き抜く場合に、確実に円盤状電池３１も引き抜くことができる。従って、薄い円盤状電池３１を用いることができ、さらに薄型のカード型電子機器を実現できる。
【００５４】
さらにまた、上ケース３６と下ケース３４との間には、円盤状電池３１と、その円盤状電池３１の片側の電極にのみ接する電源端子４３とを有する構造としてあるので、薄型のカード型電子機器を実現できる。
【００５５】
加えて、円盤状電池３１は、回路基板３０に近い側が持ち上げられ、電池ホルダー４２と隙間を有して保持されるので、電源端子４３と円盤状電池３１との接触は安定する。
【００５６】
なお、電池ホルダー４２は、電池収納部４６と、ゴムパッキン部４７と、蓋部４８さらに係止爪４９とが一体で形成されているので、別途に蓋などを設ける必要がなく、部品数も少なくなり、組み立てが容易になるとともに、低価格なカード型電子機器を実現できる。
【００５７】
また、円盤状電池３１として厚さが３ｍｍ程度のボタン形電池を用いた場合に比べて、さらに厚みの薄いコイン形電池などを用いた場合には、さらに薄型のカード型電子機器を実現できる。また、このような薄型のコイン形電池などであっても、電池ホルダー４２の引き出しによってハウジング４１から確実に引き出すことができる。
【００５８】
【発明の効果】
以上のように本発明のカード型電子機器によれば、上ケースとこの上ケースと略同じ大きさの下ケースとを固着して形成されたハウジングの短辺側の一方の端面に設けられた開口部に着脱自在に設けられる電池ホルダーと、前記ハウジング内に設けられるとともに前記円盤状電池を駆動電源として動作する回路部を有する回路基板と、前記回路基板の一端に設けられ前記回路部と接続された電源端子とを備え、円盤状電池が電池ホルダーに収納されてハウジングに装着された状態では、円盤状電池は電源端子と接続されるとともに、電源端子と上ケースの内面との間に挟まれて保持されるものである。
【００５９】
これにより、上ケースと略同じ大きさの下ケースとが固着されているので、開口部近傍の強度を強くできる。円盤状電池は弾性を有した電源端子と強度が強くなった上ケースの内面との間に確りと挟まれて保持されることとなるので、係合止め部が例え壊れても円盤状電池が外れてしまうことは発生し難くなる。
【００６０】
なお、ハウジングの短辺側の一方の端面側に開口部が形成され、かつ上ケースとこの上ケースと略同じ大きさの下ケースとが固着されているので、ケースの厚みを薄くしてもハウジングの強度を強くできる。
【００６１】
また、開口部は小さいので防水し易くなり、ハウジング内部をしっかりと防水できる。
更に、上ケースと下ケースとの間には、円盤状電池とその片側の電極にのみ電源端子を有しているので、薄型のカード型電子機器を実現できる。
【００６２】
更にまた、電池ホルダーによってハウジングの開口部を覆っているので、別途蓋等を設ける必要がないので、部品数も少なくなり、組み立てが容易になるとともに、低価格なカード型電子機器を実現できる。
【図面の簡単な説明】
【図１】本実施の形態１におけるカード型電子機器の断面図
【図２】同実施の形態におけるカード型電子機器のハウジングの分解図
【図３】同実施の形態の電池ホルダーの上面図
【図４】同実施の形態の下カバーの上面図
【図５】同実施の形態において円盤状電池を挿入する場合の説明図
【図６】同実施の形態において円盤状電池の装着状態の説明図
【図７】従来のカード型の電子機器の断面図
【図８】同従来例の上面図
【符号の説明】
３０　回路基板
３１　円盤状電池
３４　下ケース
３６　上ケース
４０　開口部
４２　電池ホルダー
４３　電源端子
【図１】
2004134198.tif 000003
【図２】
2004134198.tif 000004
【図３】
2004134198.tif 000005
【図４】
2004134198.tif 000006
【図５】
2004134198.tif 000007
【図６】
2004134198.tif 000008
【図７】
2004134198.tif 000009
【図８】
2004134198.tif 000010